【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
第１の医用モニタリングセンサ及び第２の医用モニタリングセンサからデータを受信する無線周波数受信装置であって、前記第１の医用モニタリングセンサが、第１のバイタルサインに関するデータパケットを第１の周期性で送信し、前記第２の医用モニタリングセンサが、第２のバイタルサインに関するデータパケットを第２の周期性で送信しており、
異なる空間位置又は方向にある第１及び第２のＲＦアンテナと、
第１及び第２のＲＦレシーバであって、それぞれが、前記第１及び第２のＲＦアンテナの対応する１つに接続され、前記第１及び第２のＲＦレシーバは、第１の搬送周波数ＲＦ信号で前記第１のバイタルサインに関する情報を含む前記第１の医用モニタリングセンサからのデータパケット及び第２の搬送周波数ＲＦ信号で前記第２のバイタルサインに関する情報を含む前記第２の医用モニタリングセンサからのデータパケットを回復するため、少なくとも前記第１及び前記第２の搬送周波数のＲＦ信号を受信及び復調する、第１及び第２のＲＦレシーバと、
前記第１及び第２のＲＦレシーバに接続されるプロセッサ又はコントローラであって、前記プロセッサ又はコントローラが、
各搬送周波数が所定の時間期間受信されるよう、前記第１及び前記第２の搬送周波数を受信するよう構成され、
両方のレシーバが、前記第１の医用モニタリングセンサからの第１のバイタルサインに関する情報を含む冗長なデータパケットを回復するため、前記第１の搬送周波数ＲＦ信号を並行して受信及び復調すること、及び
両方のレシーバが、前記第２の医用モニタリングセンサからの第２のバイタルサインに関する情報を含む冗長なデータパケットを回復するため、前記第２の搬送周波数ＲＦ信号を並行して受信及び復調することの間で循環するよう、前記ＲＦレシーバを制御するよう構成され、
初期取得の間、前記循環される所定時間期間の総量が、前記医用モニタリングセンサの各々に関するデータパケット送信の間の最大時間間隔とは異なる、装置。
【請求項２】
各所定の時間期間が、対応する医用モニタリングセンサに関するデータパケット送信の間の時間間隔、及び前記データパケットにおけるデータ冗長性に基づかれる、請求項１に記載の装置。
【請求項３】
前記プロセッサが、前記データパケットにおける前記データを処理するよう更に構成され、前記プロセッサに接続され、前記第１及び第２のバイタルサインを表示するディスプレイを更に有する、請求項１に記載の装置。
【請求項４】
前記データパケットが、少なくとも２つの以前のデータパケットと、前記データにおいて重複を含む、請求項３に記載の装置。
【請求項５】
無線周波数受信装置であって、
異なる空間位置又は方向にある第１及び第２のＲＦアンテナと、
第１及び第２のＲＦレシーバであって、それぞれが、前記第１及び第２のＲＦアンテナの対応する１つに接続され、前記第１及び第２のＲＦレシーバは、第１の搬送周波数ＲＦ信号で第１のバイタルサインに関する情報を含むデータパケットを送信する少なくとも第１の医用モニタリングセンサ及び第２の搬送周波数ＲＦ信号で第２のバイタルサインに関する情報を含むデータパケットを送信する第２の医用モニタリングセンサからのデータパケットを回復するため、少なくとも前記第１及び前記第２の搬送周波数のＲＦ信号を受信及び復調し、前記第１の医用モニタリングセンサが、データパケットを第１の周期性で送信し、前記第２の医用モニタリングセンサが、データパケットを第２の周期性で送信する、第１及び第２のＲＦレシーバと、
前記第１及び第２のＲＦレシーバに接続されるプロセッサ又はコントローラであって、前記プロセッサ又はコントローラが、
両方のレシーバが、前記第１の医用モニタリングセンサからの第１のバイタルサインに関する情報を含む冗長なデータパケットを回復するため、前記第１の搬送周波数ＲＦ信号を並行して受信及び復調すること、
両方のレシーバが、前記第２の医用モニタリングセンサからの第２のバイタルサインに関する情報を含む冗長なデータパケットを回復するため、前記第２の搬送周波数ＲＦ信号を並行して受信及び復調すること、及び
前記選択されたデータパケットのタイミングに基づき、前記所定の時間期間を調整することの間で循環するよう、前記ＲＦレシーバを制御するよう構成される、装置。
【請求項６】
前記プロセッサが更に、前記受信したパケットのチェックサム又はＣＲＣに基づき、前記第１及び第２のレシーバにより並行して回復される前記受信したデータパケットの間で選択を行うよう構成される、請求項５に記載の装置。
【請求項７】
第３のＲＦアンテナと、第３の搬送周波数ＲＦ信号で第３のバイタルサインに関する情報を含むデータパケットを送信する第３の医用モニタリングセンサからのデータパケットを回復するため、前記第３の搬送周波数のＲＦ信号を受信及び復調する第３のＲＦレシーバとを更に有し、前記ＲＦレシーバが、
第１の所定の時間の間、前記第１の医用モニタリングセンサからの第１のバイタルサインに関する情報を含むデータパケットを回復するため、前記第１の搬送周波数ＲＦ信号を並行して受信及び復調すること、
第２の所定の時間の間、前記第２の医用モニタリングセンサからの第２のバイタルサインに関する情報を含むデータパケットを回復するため、前記第２の搬送周波数ＲＦ信号を並行して受信及び復調すること、及び
第３の所定の時間の間、前記第３の医用モニタリングセンサからの第３のバイタルサインに関する情報を含むデータパケットを回復するため、前記第３の搬送周波数ＲＦ信号を並行して受信及び復調することの間で循環するよう構成され、
前記第１、第２及び第３の時間期間が重複しない、請求項５に記載の装置。
【請求項８】
データパケットを受信する方法において、
それぞれ異なる空間位置又は方向にある第１及び第２のＲＦアンテナの対応する１つに接続される第１及び第２のＲＦレシーバを、（ａ）第１の搬送周波数ＲＦ信号でのみデータパケットを送信する少なくとも第１の医用モニタリングセンサからの第１のバイタルサインに関する情報を含む冗長なデータパケットを回復するため、第１の時間期間において前記第１の搬送周波数ＲＦ信号を並行して受信及び復調することと、（ｂ）第２の搬送周波数ＲＦ信号でのみデータパケットを送信する少なくとも第２の医用モニタリングセンサからの第２のバイタルサインに関する情報を含む冗長なデータパケットを回復するため、第２の時間期間において前記第２の搬送周波数ＲＦ信号を並行して受信及び復調することとの間で交互に循環させるステップを有し、前記第１及び第２の時間期間が同時ではなく、前記第１及び第２の搬送周波数は異なる、方法。
【請求項９】
前記循環させるステップが、前記医用モニタリングセンサの各々のデータパケット送信の間の最大時間期間とは異なるデューティサイクルを有する、請求項７に記載の方法。
【請求項１０】
前記選択されたデータパケットのタイミング及び前記ＲＦ信号のフェーズの少なくとも１つに基づき、前記所定の時間期間を調整するステップを更に有する、請求項７に記載の方法。
【請求項１１】
データパケットを受信する方法において、
それぞれ異なる空間位置又は方向にある第１及び第２のＲＦアンテナの対応する１つに接続され、デューティサイクルを持つ第１及び第２のＲＦレシーバを、（ａ）第１の搬送周波数ＲＦ信号でデータパケットを送信する少なくとも第１の医用モニタリングセンサからの第１のバイタルサインに関する情報を含む冗長なデータパケットを回復するため、第１の時間期間において前記第１の搬送周波数ＲＦ信号を並行して受信及び復調することと、（ｂ）第２の搬送周波数ＲＦ信号でデータパケットを送信する少なくとも第２の医用モニタリングセンサからの第２のバイタルサインに関する情報を含む冗長なデータパケットを回復するため、第２の時間期間において前記第２の搬送周波数ＲＦ信号を並行して受信及び復調することとの間で交互に循環させるステップを有し、
前記第１及び第２の時間期間が同時ではなく、
各所定の時間期間が、対応する医用モニタリングセンサに関するデータパケット送信の間の時間間隔、及び前記データパケットにおけるデータ冗長性に基づかれる、方法。
【請求項１２】
請求項８に記載の方法を実行するよう１つ又は複数の電子データ処理デバイスを制御するソフトウェアを搬送する非一時的コンピュータ可読記憶媒体。
【請求項１３】
医療データ通信装置であって、
第１及び第２の医用モニタリングセンサであって、それぞれが、対象のバイタルサインを検出し、第１及び第２の搬送周波数ＲＦ信号で前記バイタルサインに関する情報を含むデータパケットを送信する、第１及び第２の医用モニタリングセンサと、
それぞれ異なる空間位置又は方向にある第１及び第２のＲＦアンテナの対応する１つに接続される第１及び第２のＲＦレシーバと、請求項８に記載される方法を実行するよう前記第１及び第２のＲＦレシーバを制御するプロセッサとを含むレシーバシステムとを有する、医療データ通信装置。